【事件の表示】
　平成５年特許願第１０９６９０号「オープンショーケースの照明制御システム」拒絶査定不服審判事件〔平成６年１１月２５日出願公開、特開平６−３２５８７４号〕について、次のとおり審決する。
【結　論】
　本件審判の請求は、成り立たない。
【理　由】
１．手続の経緯・本願発明
　本願は、平成５年５月１２日の出願であって、その請求項１に係る発明は、平成１６年２月１２日付け手続補正書によって補正された明細書及び図面の記載からみて、その特許請求の範囲の請求項１に記載された次のとおりのものと認める。（以下、「本願発明」という。）
「庫内の展示商品を照明する照明手段の調光を外部入力信号によって行う照明制御手段を持つオープンショーケースを複数台備えたシステムであって、前記オープンショーケースを信号線によって連結し、この信号線を介し前記の全てのオープンショーケースに共通の前記の外部入力信号を与えるようにするとともに、前記複数台のオープンショーケース中の１台に外部入力信号を与える手段を付設させたことを特徴とするオープンショーケースの照明制御システム。」
　
２．引用刊行物
（１）引用刊行物１
　これに対して、原査定の拒絶の理由に引用された、本願出願前に頒布された特開平３−２３３８９３号公報（以下、「引用刊行物１」という。）には、第１〜４図とともに以下のような事項が記載されている。
（あ）「(1)複数台のショーケースのそれぞれにその照明をオンオフする操作スイッチと、複数台のショーケースをグループ設定しグループ内のどのショーケースの操作スイッチからでもグループ内のショーケースの照明の制御を可能にするディップスイッチと、これらスイッチからの入力信号により照明をオンオフ制御するマイコン回路とを設けると共に各ショーケースのマイコン回路間を信号伝送ラインにより接続し、各ショーケースの操作スイッチにより照明を各ショーケース単独で、又はグループ毎に一括してオンオフ制御可能としたことを特徴とするショーケースの照明制御装置。
(2)上記ショーケースの照明制御装置に設定時刻に照明を一括して消灯しショーケース側のスイッチでの制御を禁止すると共に設定時刻にショーケース側のスイッチでの制御を解禁するカレンダータイマーを付設したことを特徴とするショーケースの照明制御装置。」（特許請求の範囲）
（い）「従来のショーケースの照明制御装置は上記のように構成されているので、グループ毎にショーケースの照明をオンオフするには、その都度配電盤まで足を運んでブレーカーにより一括して制御するか、あるいは別々のショーケースのスイッチを１つ１つ操作してオンオフ制御しなければならず、操作がわずらわしく労力を要すると共にスイッチを１つ１つ操作して照明を消すまでの間、あるいは配電盤まで行ってブレーカーを切るまでの間照明がついたままとなるため無駄な電気エネルギーを消費することになる問題があった。
　また、照明を消すためには、スイッチ，ブレーカー等を操作しなければならないため、消し忘れのおそれもあった。」（第２頁左上欄第１１行〜右上欄第４行）
（う）「本発明に係るショーケースの照明制御装置は上記のように構成されているため、ディップスイッチでそれぞれグループ設定されたグループ内の複数台のショーケースについては、それぞれのショーケースの操作スイッチからの入力があると、マイコン回路は単独で照明を制御するのかグループで照明を制御するのかをディップスイッチの状態によって判定し、単独であれはそのショーケースの照明をオン又はオフし、グループであれば伝送ラインを介して他のショーケースにも信号を送信し、グループ内のショーケースの照明を一括してオン又はオフすることができる。
　また、本発明に係るショーケースの照明制御装置は上記したようにカレンダータイマーを有しており、設定時刻になると、すべてのショーケースの照明を自動的に消灯することができるので照明の消し忘れのおそれがなくなると共に、いちいちブレーカーを落す必要がなくなる。」（第２頁左下欄第１８行〜右下欄第１５行）
（え）「各ショーケース11には第２図に示すように、マイコン回路13、操作スイッチ14、ディップスイッチ15、照明出力回路16、照明17からなる照明制御回路が設けられ、各ショーケース11のマイコン回路13は信号伝送ライン18で接続されている。
　マイコン回路13は、照明をオンオフする操作スイッチ14、ショーケースをグループ設定し照明とグループ内で一括オンオフ制御可能にするディップスイッチ15、及び伝送ライン18からの信号を入力し照明出力回路16を介して照明17をオンオフ制御すると共に伝送ライン18を介して他のショーケースへ信号を送信する機能を有している。
　また、19はカレンダータイマーでショーケース11から離れた場所に設置され、伝送ライン18を介してマイコン回路13に接続され、夜間の設定された時刻になると照明を一斉に消灯し、同時にショーケース側のスイッチでの制御を禁止すると共に朝の設定時刻になるとショーケース側のスイッチでの制御を解禁する機能を有するものである。」（第３頁左上欄第１行〜右上欄第１行）
（お）「上記の構成において照明をオンオフする際、マイコン回路13は、操作スイッチ14からのオンオフ信号、又は他のショーケースから伝送ライン18を介して入力されてくるオンオフ信号により照明出力回路16を介して照明17をオンオフ制御する。
　ここで操作スイッチ14からの信号入力のときはマイコン回路はディップスイッチ15の状態によって、そのショーケース単独で照明をオンオフするのか、設定されたグループで一括して照明をオンオフするのかを判定し、グループであれば伝送ライン18を介して他のショーケースへもオンオフ信号を送信し、それぞれ照明とオンオフ制御する。」（第３頁右上欄第２〜１４行）
　上記（あ）〜（お）の記載事項及び図示内容を総合すると、引用刊行物１には、以下の発明（以下、「引用発明」という。）が記載されていると認められる。
「ショーケース11の照明のオンオフ制御を信号伝送ライン18を介して入力されてくる信号により行うマイコン回路13、操作スイッチ14、ディップスイッチ15、照明出力回路16、照明17からなる照明制御回路を持つショーケース11を複数台備える照明制御装置であって、
各ショーケース11のマイコン回路13は信号伝送ライン18で接続され、
カレンダータイマー19がショーケース11から離れた場所に設置され、伝送ライン18を介してマイコン回路13に接続され、夜間の設定された時刻になると照明を一斉に消灯するとともに、
ショーケース11の操作スイッチ14からのオンオフ信号により、伝送ライン18を介して他のショーケースへもオンオフ信号を送信し、一括してグループの他のショーケースの照明をオンオフ制御するショーケースの照明制御装置。」
　
（２）引用刊行物２
　また、原査定の拒絶の理由に引用された、本願出願前に頒布された実願昭５６−１７５７０４号（実開昭５８−８００００号）のマイクロフイルム（以下、「引用刊行物２」という。）には、第１〜３図とともに以下のような事項が記載されている。
（あ）「シヨーケースの庫内照明用に配設されている蛍光灯へ流れる電流の位相制御を電気弁を含む調光回路により行う蛍光灯調光装置において、前記調光回路の調光動作を動作開始から所定時間は全点灯状態とし、且つ所定時間後は減光点灯状態に制御するタイマー素子を含む調光遅延タイマー回路と、前記調光遅延タイマー回路への通電時間帯を制御するタイマー装置とを設けたことを特徴とするシヨーケースの蛍光灯調光装置。」（実用新案登録請求の範囲）
（い）「本考案はシヨーケースの庫内照明用に配設されている蛍光灯の調光装置に関し、蛍光灯の全点灯時間と減光点灯時間とを自由に設定し、庫内冷凍負荷の軽減を図ることを目的とする。」（明細書第１頁第１５〜１８行）
（う）「第２図は第１図の調光遅延タイマー回路(1)と調光回路(2)とを接続した蛍光灯の制御回路である。
  (11)は調光遅延タイマー回路(1)への通電時間帯を制御する２４時間タイマー装置で、そのタイマーモータ(11M)は交流電源(12)に接続されている。」（明細書第５頁第１６〜２０行）
（え）「スーパー等の開店時(１９イ)において第１、第２の電源スイツチ(１２ａ)(１２ｂ)は同時に手動により閉とされ、蛍光灯(15)は調光回路(2)を介して通電されると共にタイマー装置(11)の常閉接点(１１T)を介して電源端子(T1)(T2)に給電され、・・・調光回路(2)は全点灯状態を保ち蛍光灯(15)は調光されず点灯は確実に行われ所定時間全点灯される。開店(１９イ)から所定時間例えば２０分経過・・・するとタイマー素子(6)は出力する。・・・調光回路(2)は減光点灯状態となり蛍光灯(15)は全点灯から減光点灯へ移る。この時点は第３図(１９ロ)である。以後タイマー素子(6)は出力を継続し、減光点灯が引き続き行われる。」（明細書第６頁第１６行〜第８頁第５行）
（お）「所定時間経過し、予め設定された時点(１９ハ)においてタイマー装置(11)のタイマーモータ(11M)の動作により常開接点(１１T)は開となる。・・・調光回路(2)は全点灯状態になる。従つて、・・・蛍光灯(15)は減光点灯から全点灯へ移る。蛍光灯(15)の全点灯は顧客の混雑する時間帯(１９ニ)に継続して行われる。」（明細書第８頁第６〜１７行）
（か）「時間が経過し、予め設定されている時点(１９ホ)においてタイマー装置(11)のタイマーモータ(11M)の動作により常閉接点(１１T)は閉じ、・・・所定時間経過すると・・・再び調光回路(2)は減光状態となり蛍光灯(15)は減光点灯に移る。この時点は第３図の(１９ヘ)である。以後、タイマー素子(6)は出力を継続し蛍光灯(15)の減光点灯は引き続き行われる。」（明細書第８頁第１８行〜第９頁第１０行）
（き）「時間が経過し、閉店時(１９ト)において手動により第１、第２の電源スイツチ(１３ａ)(１３ｂ)は同時に開とされ、蛍光灯(15)は非通電となり消灯する」（明細書第９頁第１０〜１３行）
（く）「従つて、・・・タイマー装置(11)の常閉接点(１１T)の開及び閉となる時間を任意に設定することにより開店時間における顧客の混雑する時間帯には蛍光灯(15)の全点灯を行い、それ以外の時間には減光点灯を行うことができる。又、調光遅延タイマー回路(1)により蛍光灯(15)は開店時(１９イ)から所定時間全点灯されるため蛍光灯(15)は確実に点灯する。」（明細書第９頁第１６行〜第１０頁第４行）
　
３．対比・判断
　本願発明と引用発明とを対比すると、
後者の「ショーケース11の照明のオンオフ制御を」「行うマイコン回路13、操作スイッチ14、ディップスイッチ15、照明出力回路16、照明17からなる照明制御回路」と、前者の「庫内の展示商品を照明する照明手段の調光を」「行う照明制御手段」とは、その機能からみて、照明手段の制御を行う照明制御手段という点で共通し、後者の「ショーケース11」と前者の「オープンショーケース」とはともに「ショーケース」である点で共通する。
　また、後者の「信号伝送ライン18」は各ショーケース11のマイコン回路13を接続し、この信号伝送ライン18を介して、ショーケース11のマイコン回路13またはカレンダータイマー19からの信号を各ショーケース11のマイコン回路13に入力し、照明制御を行うものであって、カレンダータイマー19からの信号は各ショーケース11のマイコン回路13に同じく入るものであるから、後者の「信号伝送ライン18」とこれを介して入力されてくる信号は前者の「信号線」及び「外部入力信号」にそれぞれ相当し、後者の「各ショーケース11のマイコン回路13は信号伝送ライン18で接続され」る態様は前者の「信号線によって連結」する態様に相当するとともに、後者も前者と同様に「この信号線を介し前記の全てのショーケースに共通の前記の外部入力信号を与えるように」するものといえる。
　そして、後者の「カレンダータイマー19」は前者の「外部入力信号を与える手段」であり、後者の「ショーケースの照明制御装置」と前者の「オープンショーケースの照明制御システム」とはショーケースの照明制御システムの点で共通すると認められる。
　そうすると、両者は、
「照明手段の制御を外部入力信号によって行う照明制御手段を持つショーケースを複数台備えたシステムであって、前記ショーケースを信号線によって連結し、この信号線を介し前記の全てのショーケースに共通の前記の外部入力信号を与えるようにするとともに、外部入力信号を与える手段を有するショーケースの照明制御システム。」である点で一致し、以下の点で両者は相違しているものと認められる。
（１）ショーケース及び照明手段が照明する対象に関し、本願発明が「オープンショーケース」であって「庫内の展示商品を照明する照明手段」としているのに対し、引用発明はそのような構成ではない点。
（２）照明制御手段の具体的制御の態様として、本願発明は「調光」するものであるのに対して引用発明はオンオフ制御するものである点。
（３）外部入力信号を与える手段について、本願発明が、「複数台のオープンショーケース中の１台に」「付設させ」ているのに対し、引用発明はショーケース11から離れた場所に設定されている点。
　
　そこで、上記相違点について検討する。
ア．相違点（１）について
　ショーケースの一種としてオープンショーケースは周知のものにすぎず、また、ショーケースの照明として庫内を照明するものも周知（引用刊行物２参照）である。
　したがって、ショーケース及び照明を上記周知のものに限定し、相違点（１）に係る本願発明の構成とすることに格別の困難性は認められない。
　そして、上記のように構成することによる格別の作用効果も認められない。
　
イ．相違点（２）について
　引用刊行物２には、ショーケースの庫内照明を、顧客の混雑する時間帯には全点灯し、それ以外の時間には減光点灯を行うよう、タイマー装置(11)により、調光回路(2)を制御するシヨーケースの蛍光灯調光装置が記載されている。
　そうすると、引用発明における照明制御手段の制御として、同じくショーケースの照明をタイマーで制御するものである、引用刊行物２に記載された、減光点灯を行う調光制御とすることは、当業者が容易に想到することと認められる。
　そして、引用発明のオンオフ制御を本願発明のような調光制御とすることが出来ないとする特段の事情も認められない。
　
ウ．相違点（３）について
　引用発明は、ショーケース11に操作スイッチ14が設けられ、操作スイッチ14からのオンオフ信号により信号伝送ライン18を介して一括してグループの他のショーケース11の照明を制御するものでもあり、制御の為の信号を与える手段をショーケースに設けたものである。
　ところで、外部入力信号を与える手段であるカレンダータイマー19はショーケース11から離れた場所に設置されているが、この外部入力信号を与える手段であるカレンダータイマー19を操作スイッチ14と同様にショーケース11に設置しても、そのことによって、当業者が普通に予測しうる以上の、格別顕著な作用効果を奏するとは認められず、また、それを困難だとする特段の事情も認められない。
　そうすると、外部入力信号を与える手段であるカレンダータイマー19を同じく信号を与える手段である操作スイッチ14に倣って複数台のショーケース11の内の１台に設置することは、当業者が容易になし得ることであるといえる。
　
　また、上記相違点（１）〜（３）について合わせ考えても、本願発明による効果について、格別のものとは認められない。
　
４．むすび
　したがって、本願発明は、引用発明、引用刊行物２に記載の事項及び周知の事項に基いて当業者が容易に発明をすることができたものであるから、特許法第２９条第２項の規定により特許を受けることができない。
　よって、結論のとおり審決する。